【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
コーティング組成物であって、以下：
キャリア：および
該キャリア中に分散された複数の単層無機誘電潜在タグジェントフレーク
を含有する、コーティング組成物。
【請求項２】
請求項１に記載のコーティング組成物であって、ここで、前記潜在タグジェントフレークが、透明な潜在フレークである、コーティング組成物。
【請求項３】
請求項２に記載のコーティング組成物であって、ここで、前記透明な潜在フレークが、選択された形状を有する、コーティング組成物。
【請求項４】
請求項２に記載のコーティング組成物であって、ここで、前記透明な潜在フレークが、格子模様を含む、コーティング組成物。
【請求項５】
請求項２に記載のコーティング組成物であって、ここで、前記透明な潜在フレークが、少なくとも１個の選択された記号を含む、コーティング組成物。
【請求項６】
請求項５に記載のコーティング組成物であって、ここで、前記透明な潜在フレークが、格子模様を有する、コーティング組成物。
【請求項７】
請求項２に記載のコーティング組成物であって、ここで、前記キャリアが、ワニスベースを含有する、コーティング組成物。
【請求項８】
請求項７に記載のコーティング組成物であって、ここで、前記透明な潜在フレークが、ＺｎＳフレークであり、該ＺｎＳフレークが、該コーティング組成物の１０％以下を構成する、コーティング組成物。
【請求項９】
請求項７に記載のコーティング組成物であって、ここで、前記透明な潜在フレークが、熱処理されたＺｎＳフレークであり、該ＺｎＳフレークが、該コーティング組成物の２０％以下を構成する、コーティング組成物。
【請求項１０】
請求項２に記載のコーティング組成物であって、該コーティング組成物は、前記キャリア中に分散されたベース顔料をさらに含有し、該コーティング組成物中の透明な潜在フレークの量が選択され、その結果、該コーティング組成物の色が、該キャリア中に分散されたベース顔料を構成する第２のコーティング組成物と同一の色に見える、コーティング組成物。
【請求項１１】
請求項１０に記載のコーティング組成物であって、ここで、前記ベース顔料が、光学的に変化可能な顔料フレークであり、そして前記透明な潜在フレークが、ＺｎＳフレークであり、該ＺｎＳフレークが、全フレーク重量の１０重量％以下である、コーティング組成物。
【請求項１２】
請求項１０に記載のコーティング組成物であって、ここで、前記透明な潜在フレークが、不可視照射で照射された場合に、蛍光を発する、コーティング組成物。
【請求項１３】
請求項１２のコーティング組成物であって、ここで、前記ベース顔料が、不可視照射で照射された場合に蛍光を発し、前記透明な潜在フレークが、該ベース顔料とは異なって蛍光を発する、コーティング組成物。
【請求項１４】
請求項２に記載のコーティング組成物であって、ここで、透明な潜在フレークが、前記キャリアにおいて、光の可視領域において、７０％より多くの透過率を有する、コーティング組成物。
【請求項１５】
請求項１に記載のコーティング組成物であって、該コーティング組成物は、色付のベース顔料をさらに含有し、ここで、前記潜在タグジェントフレークが、色付きの潜在顔料フレークである、コーティング組成物。
【請求項１６】
請求項１５に記載のコーティング組成物であって、ここで、前記潜在顔料フレークが、選択された形状を有する、コーティング組成物。
【請求項１７】
請求項１６に記載のコーティング組成物であって、ここで、前記潜在顔料フレークが、格子模様を有する、コーティング組成物。
【請求項１８】
請求項１５に記載のコーティング組成物であって、ここで、前記潜在顔料フレークが、少なくとも１個の選択された記号を含む、コーティング組成物。
【請求項１９】
請求項１８に記載のコーティング組成物であって、ここで、前記潜在顔料フレークが、格子模様を有する、コーティング組成物。
【請求項２０】
請求項１５に記載のコーティング組成物であって、ここで、前記潜在顔料フレークが、不可視照射で照射された場合、蛍光を発する、コーティング組成物。
【請求項２１】
請求項２０に記載のコーティング組成物であって、ここで、前記ベース顔料が、前記不可視照射で照射される場合に蛍光を発し、前記潜在顔料フレークが該ベース顔料とは異なって蛍光を発する、コーティング組成物。
【請求項２２】
請求項１５に記載のコーティング組成物であって、ここで、前記潜在顔料フレークが、ＺｎＳ潜在顔料フレークである、コーティング組成物。
【請求項２３】
請求項２２に記載のコーティング組成物であって、ここで、前記ベース顔料が、真珠層の鉱物−ベースのフレークを含有し、そして前記ＺｎＳ潜在顔料フレークが、該真珠層の鉱物−ベースのフレークと適合するように選択された厚さを有する、コーティング組成物。
【請求項２４】
請求項２３に記載のコーティング組成物であって、ここで、前記潜在顔料フレークが、不可視照射で照射された場合に蛍光を発する、コーティング組成物。
【請求項２５】
請求項２４に記載のコーティング組成物であって、ここで、前記潜在顔料フレークが、全顔料重量の１重量％未満を含有する、コーティング組成物。
【請求項２６】
請求項１に記載のコーティング組成物であって、ここで、前記潜在タグジェントフレークが、前記キャリア中において分散された、成形された不透明な無機潜在フレークであり、ここで、前記複数の成形された不透明な無機潜在タグジェントフレークの各々が、選択された形状および１０ミクロン未満の厚さを有する、コーティング組成物。
【請求項２７】
請求項２６に記載のコーティング組成物であって、ここで、前記成形された不透明な潜在フレークが、複数の薄型フィルム層を含む、コーティング組成物。
【請求項２８】
請求項２６に記載のコーティング組成物であって、ここで、前記成形された不透明な無機潜在タグジェントフレークが、約０．５ミクロン〜約３ミクロンの間の厚さを有する、コーティング組成物。
【請求項２９】
請求項２６に記載のコーティング組成物であって、該コーティング組成物は、第２の選択された形状を有する、第２の複数の成形された不透明なフレークをさらに含有する、コーティング組成物。
【請求項３０】
請求項２９に記載のコーティング組成物であって、ここで、前記成形された不透明な潜在フレークが、明るいフレークを包含する、コーティング組成物。
【請求項３１】
請求項２９に記載のコーティング組成物であって、ここで、前記成形された不透明な潜在フレークが、格子模様を有し、前記選択された形状が、第１の倍率にて可視であり、該格子模様が、第１の倍率では可視でなく、ここで、該格子模様が、第２の倍率にて可視であり、該第２の倍率が第１の倍率よりも大きい、請求項２９に記載のコーティング組成物。
【請求項３２】
請求項２６に記載のコーティング組成物であって、ここで、前記成形された不透明な潜在フレークが、格子模様を含む、コーティング組成物。
【請求項３３】
請求項２６に記載のコーティング組成物であって、ここで、前記成形された不透明な潜在フレークが、元素インジケーターを含む、コーティング組成物。
【請求項３４】
請求項３３に記載のコーティング組成物であって、ここで、前記不透明な潜在フレークにおける光学的に活性な層が、前記元素インジケーターを含む、コーティング組成物。
【請求項３５】
請求項３４に記載のコーティング組成物であって、ここで、前記光学的に活性な層が、反射層、スペーサー層、および吸収層のうちの１つである、コーティング組成物。
【請求項３６】
請求項３３に記載のコーティング組成物であって、ここで、前記元素インジケーターが、光学的に不活性な層に存在する、コーティング組成物。
【請求項３７】
請求項２６に記載のコーティング組成物であって、ここで、該コーティング組成物が、第１の元素組成物を有するベース顔料をさらに含有し、ここで、前記成形された不透明な潜在フレークが、該第１の元素組成物において見出されない元素インジケーターを含有する第２の元素組成物を有する、コーティング組成物。
【請求項３８】
請求項３７に記載のコーティング組成物であって、ここで、ベース顔料と成形された不透明な潜在フレークとの比が、前記元素インジケーターの選択された量を提供するように選択される、コーティング組成物。
【請求項３９】
請求項２６に記載のコーティング組成物であって、ここで、該コーティング組成物は、第１の選択された色付きのベース顔料をさらに含有し、該ベース顔料が、前記成形された不透明な潜在フレークと混合され、顔料混合物を提供し、ここで、該成形された不透明な潜在フレークが、選択された形状を有する明るいフレークであり、かつ、該成形された不透明な潜在フレークが、該顔料混合物の５重量％未満を含有する、コーティング組成物。
【請求項４０】
請求項３９に記載のコーティング組成物であって、ここで、前記明るいフレークが、前記顔料混合物の１％未満を構成する、コーティング組成物。
【請求項４１】
請求項２６に記載のコーティング組成物であって、ここで、前記成形された不透明な潜在フレークが、明るいフレークを含有する、コーティング組成物。
【請求項４２】
請求項２６に記載のコーティング組成物であって、ここで、該コーティング組成物が、選択された色を有し、前記成形された不透明な潜在フレークが、該選択された色を有する、コーティング組成物。
【請求項４３】
請求項４２に記載のコーティング組成物であって、ここで、前記ベース顔料が、雲母ベースの顔料を含有する、コーティング組成物。
【請求項４４】
請求項４２に記載のコーティング組成物であって、ここで、前記ベース顔料が、カラーシフト顔料を含有する、コーティング組成物。
【請求項４５】
請求項４２に記載のコーティング組成物であって、ここで、前記キャリアが、ワニスである、コーティング組成物。
【請求項４６】
顔料フレークを作製するための方法であって、該方法は、以下：
第１の模様部分および第２の模様部分を有する基材を提供する工程；
少なくとも１つの薄型フィルム層を、該基材上に堆積する工程；ならびに
該少なくとも１つの薄型フィルム層を、選択された量のタグジェントフレークを有するフレーク混合物へと加工する工程
を包含する、方法。
【請求項４７】
請求項４６に記載の方法であって、ここで、前記基材が、ロールフィルムであるか、またはポリマーフィルムである、方法。
【請求項４８】
請求項４６に記載の方法であって、ここで、前記第２部分が、第２の模様部分である、方法。
【請求項４９】
請求項４６に記載の方法であって、ここで、前記第１の模様部分が、枠を含み、前記タグジェントフレークが、選択された形状を有する、方法。
【請求項５０】
請求項４６に記載の方法であって、ここで、前記第１の模様部分が、格子模様を包含する、方法。
【請求項５１】
請求項４６に記載の方法であって、ここで、前記第１の模様部分が、記号を包含する、方法。
【請求項５２】
以下：
キャリア；および
該キャリアにおいて分散された透明な潜在フレーク
を含有するコーティング組成物であって、該透明な潜在フレークが、紫外線で照射された場合に蛍光を発し、該透明な潜在フレークが、５０Ｘ〜２００Ｘの倍率にて可視光下で判読可能な１以上の記号を有する、コーティング組成物。
【請求項５３】
物体に潜在セキュリティー特徴を提供する方法であって、該方法は、以下の工程：
請求項１に記載の組成物を該物体に塗布し、前記潜在セキュリティー特徴を提供する工程を包含する、方法。
【請求項５４】
請求項５３に記載の方法であって、ここで、前記物体が、現存するセキュリティー特徴を有し、前記潜在フレークが、透明な潜在フレークであり、そして前記組成物がワニスであり、該塗布する工程が、該ワニスを該存在するセキュリティー特徴の上に塗布する工程を包含する、方法。
【請求項５５】
物体に塗布された潜在セキュリティー特徴を観察する方法であって、該方法は、以下の工程：
該潜在セキュリティー特徴を不可視照射で照射し、該潜在セキュリティー特徴において１つ以上の記号を有するフレークが蛍光を発するようにする工程；
該潜在セキュリティー特徴における該フレークの位置を同定する工程；ならびに
該フレークを可視光のもとで観察し、１つ以上の記号を判読する工程
を包含する。
【請求項５６】
組成物であって、以下：
化学薬品；および
印を有する複数の無機誘電体タグジェントフレークを含有し、ここで、該複数の無機誘電体タグジェントフレークが、該化学薬品と混合され、該組成物を形成する、
組成物。
【請求項５７】
請求項５６に記載の組成物であって、ここで、前記化学薬品は、爆発性の化合物であるか、または爆発性の前駆体である、組成物。
【請求項５８】
請求項５６に記載の組成物であって、ここで、前記無機誘電体タグジェントフレークが、本質的に透明であり、前記印が、記号を含む、組成物。
【請求項５９】
請求項５６に記載の組成物であって、ここで、前記無機誘電体タグジェントフレークが、不可視照射に曝された場合に、蛍光を発する、組成物。
【手続補正２】
【補正対象書類名】明細書
【補正対象項目名】００６７
【補正方法】変更
【補正の内容】
【００６７】
図７Ｂは、照射のための可視光を用いた顕微鏡下で見られる場合、図７Ａのセキュリティー特徴１１４の一部の簡略平面図である。上記透明な潜在フレーク上の記号は、ＵＶ光の下で判読しにくいことが発見された。なぜなら、上記蛍光は、バルク現象であり、記号を不明瞭にするからであった。上記ＵＶ光がスイッチオフされた場合、そして透明な潜在フレーク１２２が、可視光を用いて顕微鏡下で観察された場合、記号１２０のかすかな輪郭（およびこのフレーク）が、観察可能であった。蛍光潜在フレークは、フレークの濃度が低い場合、特に望ましい。この透明な潜在フレーク１２２および記号１２０は、この視界において点線として示され、これらが可視光のもとでかすかな輪郭として出現することを示す。このベース顔料フレーク１１６は、実線として示される。なぜなら、これらは、代表的には、可視光のもとで顕著になるからである。特定の実施形態では、この透明な潜在フレークは、艶だしワニス中のＺｎＳ（これは、約２．２の屈折率を有する）であり、これは、ＵＶ光のもとで最初に観察され、次いで、フレーク上の記号は、１００Ｘの倍率にて可視光を用いて判読された。
【手続補正３】
【補正対象書類名】明細書
【補正対象項目名】００８９
【補正方法】削除
【補正の内容】
【手続補正４】
【補正対象書類名】明細書
【補正対象項目名】００９０
【補正方法】変更
【補正の内容】
【００９０】
【図１】図１は、本発明の実施形態に従うセキュリティー特徴を有する書類の一部の平面図である。
【図２Ａ】図２Ａは、浮き彫りにされた部分および浮き彫りにされていない部分を有する堆積基材の一部の簡略図である。
【図２Ｂ】図２Ｂは、浮き彫りにされた部分１３’および浮き彫りにされていない部分１５’を有する別の堆積基材１１’の一部の簡略図である。
【図３Ａ】図３Ａは、本発明の１つの実施形態に従うセキュリティー特徴の一部の簡略平面図である。
【図３Ｂ】図３Ｂは、本発明の別の実施形態に従うセキュリティー特徴の一部の簡略平面図である。
【図３Ｃ】図３Ｃは、本発明のなお別の実施形態に従うセキュリティー特徴の一部の簡略平面図である。
【図４Ａ】図４Ａは、本発明の実施形態に従う明るい顔料フレーク２０の簡略断面図である。
【図４Ｂ】図４Ｂは、元素の指紋を提供する明るいフレーク２０’の簡略断面図である。
【図４Ｃ】図４Ｃは、本発明の別の実施形態に従うカラーシフト顔料フレーク３０の簡略断面図である。
【図５】図５は、本発明の実施形態に従うキャリア中に分散された、透明なシフト潜在フレークまたは不透明な潜在フレークを有するワニスの断面図である。
【図６】図６は、本発明の別の実施形態に従う結合剤において分散された、ベースフレークおよび潜在フレークの断面図である。
【図７Ａ】図７Ａは、ＵＶ照射を用いて顕微鏡下で見られる場合に、本発明の実施形態に従う、透明な無機潜在フレークで印刷されたセキュリティー特徴の一部の簡略平面図である。
【図７Ｂ】図７Ｂは、照射のために可視光を用いて顕微鏡下で見られた場合に、図７Ａのセキュリティー特徴の一部の簡略平面図である。
【図８】図８は、インクで調製された試験サンプル、および本発明の１つの実施形態に従う潜在顔料フレークと組み合わせたインクで調製された試験サンプルについてのカラートラベルを示す。
【図９】図９は、本発明の１つの実施形態に従う潜在フレークを観察する方法のチャートを示す。
【図１０】図１０は、本発明の１つの実施形態に潜在フレークを作製する方法のフローチャートである。